(57)【特許請求の範囲】
【請求項１】
光拡散機能を有し、複数の発光面に区分されたグローブと、
前記グローブに収納され、各々が前記複数の発光面の各々に対応する複数の発光素子とを備え、
前記複数の発光素子の各々は、独立して発光制御可能であり、
前記複数の発光素子の各々を独立して発光制御することによって、前記複数の発光面の１個又は複数個が選択的に擬似発光し、
前記グローブの内面又は外面に光拡散膜が連続して形成され、
前記グローブにおける隣り合う前記発光面の境界は、連続する前記光拡散膜を区切っている
照明用光源。
【請求項２】
前記複数の発光素子は、平板状の実装基板に実装されている
請求項１に記載の照明用光源。
【請求項３】
さらに、前記グローブ内の空間を仕切る仕切り部材を備え、
前記複数の発光面は、前記仕切り部材によって区分されている
請求項１又は２に記載の照明用光源。
【請求項４】
前記仕切り部材は、遮光性を有する
請求項３に記載の照明用光源。
【請求項５】
前記複数の発光素子の各々は、対応する前記発光面に向けて配置されている
請求項１〜４のいずれか１項に記載の照明用光源。
【請求項６】
さらに、前記複数の発光素子の各々から出射する光がそれぞれ対応する前記発光面に到達するように、前記複数の発光素子の各々から出射する光の配光を制御する配光制御部材を備える
請求項１〜４のいずれか１項に記載の照明用光源。
【請求項７】
前記複数の発光素子には、発光色が互いに異なる複数の発光素子が含まれており、
前記複数の発光面の少なくともいくつかは、互いに異なる光色で擬似発光する
請求項１〜６のいずれか１項に記載の照明用光源。
【請求項８】
前記複数の発光面の少なくともいくつかは、互いに異なる輝度で擬似発光する
請求項１〜６のいずれか１項に記載の照明用光源。
【請求項９】
請求項１〜８のいずれか１項に記載の照明用光源を備える
照明装置。
【発明の詳細な説明】
【技術分野】
【０００１】
本発明は、照明用光源及びこれを備えた照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、様々な製品の光源として期待されている。例えば、ＬＥＤを光源とするＬＥＤランプが実用化されている。
【０００３】
ＬＥＤランプとしては、電球形蛍光灯や白熱電球に代替する電球形ＬＥＤランプ（ＬＥＤ電球）、あるいは、直管形蛍光灯に代替する直管形ＬＥＤランプ等がある。例えば、特許文献１には、従来の電球形ＬＥＤランプが開示されている。また、特許文献２には、従来の直管形ＬＥＤランプが開示されている。
【先行技術文献】
【特許文献】
【０００４】
【特許文献１】特開２００６−３１３７１７号公報
【特許文献２】特開２００９−０４３４４７号公報
【発明の概要】
【発明が解決しようとする課題】
【０００５】
ＬＥＤランプを照明器具に設置した後に明かりの雰囲気を変更したい場合がある。この場合、ＬＥＤランプ内にモータ等の駆動機構を設けて、ＬＥＤ等の光源（ＬＥＤモジュール）自身の向きを可動させたりＬＥＤの前方に配置したレンズ等の光学部品を可動させたりすることによって明かりの雰囲気を変更することができる。
【０００６】
しかしながら、ＬＥＤランプ内に駆動機構や可動部が設けられていると、ランプ寿命や応答速度が低下したり駆動機構や可動部が影となってランプ全体から発光が得られなかったりし、また、ＬＥＤランプの意匠性も悪くなるという問題がある。特に、モータ等の駆動機構を内蔵すると、ランプの重量が大きくなるという問題もある。
【０００７】
本発明は、このような問題を解決するためになされたものであり、駆動機構や可動部を用いることなく、明かりの雰囲気を容易に変更できる照明用光源及び照明装置を提供することを目的とする。
【課題を解決するための手段】
【０００８】
上記目的を達成するために、本発明に係る照明用光源の一態様は、複数の発光面に区分されたグローブと、前記グローブに収納され、各々が前記複数の発光面の各々に対応する複数の発光素子とを備え、前記複数の発光素子の各々は、独立して発光制御可能であり、前記複数の発光素子の各々を独立して発光制御することによって、前記複数の発光面の１個又は複数個が選択的に擬似発光することを特徴とする。
【発明の効果】
【０００９】
本発明によれば、駆動機構や可動部を用いることなく、既に設置された照明器具を用いて明かりの雰囲気を変更することができる。
【図面の簡単な説明】
【００１０】
【図１】実施の形態１に係る電球形ランプの斜視図
【図２Ａ】実施の形態１に係る電球形ランプの側面図
【図２Ｂ】実施の形態１に係る電球形ランプの上面図
【図２Ｃ】実施の形態１に係る電球形ランプの底面図
【図３Ａ】実施の形態１に係る電球形ランプの点灯状態（全灯）を示す図
【図３Ｂ】実施の形態１に係る電球形ランプの点灯状態（右側の発光面のみ発光）を示す図
【図３Ｃ】実施の形態１に係る電球形ランプの点灯状態（左側の発光面のみ発光）を示す図
【図４】実施の形態１の変形例に係る電球形ランプの斜視図
【図５Ａ】実施の形態１の変形例に係る電球形ランプの側面図
【図５Ｂ】実施の形態１の変形例に係る電球形ランプの上面図
【図５Ｃ】実施の形態１の変形例に係る電球形ランプの底面図
【図６】実施の形態２に係る電球形ランプの斜視図
【図７Ａ】実施の形態２に係る電球形ランプの側面図
【図７Ｂ】実施の形態２に係る電球形ランプの上面図
【図７Ｃ】実施の形態２に係る電球形ランプの底面図
【図８】実施の形態３に係る電球形ランプの斜視図
【図９Ａ】実施の形態３に係る電球形ランプの側面図
【図９Ｂ】実施の形態３に係る電球形ランプの上面図
【図９Ｃ】実施の形態３に係る電球形ランプの底面図
【図１０Ａ】変形例１に係る直管ランプの斜視図
【図１０Ｂ】変形例１に係る他の直管ランプの斜視図
【図１１】変形例２に係る電球形ランプの斜視図
【発明を実施するための形態】
【００１１】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、工程及び工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化する。
【００１３】
以下の実施の形態では、照明用光源の一例として、電球形蛍光灯又は白熱電球の代替品となる電球形のＬＥＤランプ（ＬＥＤ電球）について説明する。各図において、ランプ軸の方向をＺ軸方向とし、Ｚ軸に垂直な方向をＸ軸方向とし、Ｚ軸及びＸ軸の両方に垂直な方向をＹ軸方向としている。また、ランプ軸は、グローブ軸と一致しているとともに、口金２０の回転軸と一致している。
【００１４】
（実施の形態１）
まず、実施の形態１に係る電球形ランプ１の構成について、図１、図２Ａ、図２Ｂ及び図２Ｃを用いて説明する。図１は、実施の形態１に係る電球形ランプ１の斜視図である。図２Ａ、図２Ｂ及び図２Ｃは、同電球形ランプ１の側面図、上面図及び底面図である。
【００１５】
図１に示すように、本実施の形態に係る電球形ランプ１は、グローブ１０と、口金２０と、グローブ１０の内方に配置されたＬＥＤモジュール（不図示）とを有する。
【００１６】
グローブ１０は、ＬＥＤモジュールを覆う透光性カバーであって、ＬＥＤモジュールから放出される光をランプ外部に取り出すように構成されている。つまり、グローブ１０の内面に入射したＬＥＤモジュールの光は、グローブ１０を透過してグローブ１０の外部へと取り出される。
【００１７】
グローブ１０は、開口部を有する中空部材であって、開口部とは反対側の頂部が閉塞された形状である。グローブ１０は、開口部が絞られた中空の回転体である。本実施の形態におけるグローブ１０の形状は、全体として略球状である。
【００１８】
グローブ１０の材質としては、シリカガラス等のガラス材、又は、アクリル（ＰＭＭＡ）やポリカーボネート（ＰＣ）等の樹脂材等からなる透光性材料を用いることができる。
【００１９】
グローブ１０は、予め所定の領域に分割された複数の発光面を有する。つまり、グローブ１０の表面は、複数の発光面に区分された領域を有する。図２Ａ〜図２Ｃに示すように、本実施の形態におけるグローブ１０の発光領域は、グローブ軸を通るＹＺ平面を境界として左右の２つの領域に分割されている。つまり、本実施の形態では、グローブ１０の表面全体が第１発光面１１及び第２発光面１２の２つの発光面に区分されている。
【００２０】
図１、図２Ａ〜図２Ｃにおいて、隣り合う発光面の境界は一点鎖線で示されているが、本実施の形態において、この一点鎖線は実際にはグローブ１０に形成されていない。ただし、この一点鎖線をユーザが視認できるように構成してもよい。例えば、一点鎖線に沿って、グローブ１０の内面又は外面に直接筋状の溝（凹部）や突条（凸部）を形成してもよいし、グローブ１０の内面又は外面に別途形成されたもの（拡散膜等）に溝や突条を形成してもよい。その他に、グローブ１０における隣り合う発光面の境界は、電球形ランプ１が点灯する（グローブ１０が擬似発光する）ことによって視認されるように構成されていてもよい。
【００２１】
グローブ１０内に配置されたＬＥＤモジュールは、複数の発光面ごとに対応して複数配置されていてもよいし、１つのみ配置されていてもよい。
【００２２】
複数の発光面ごとに対応してＬＥＤモジュールが配置されている場合、ＬＥＤモジュールは１つ又は複数の発光素子を有する。一方、１つのみのＬＥＤモジュールが配置されている場合、ＬＥＤモジュールは複数の発光素子を有する。いずれの場合であっても、グローブ１０内には複数の発光素子が収納されており、複数の発光素子の各々は複数の発光面の各々に対応している。
【００２３】
本実施の形態では、グローブ１０は第１発光面１１及び第２発光面１２の２つの発光面を有するので、各発光面に対応するようにグローブ１０には少なくとも２つの発光素子が収納されている。
【００２４】
具体的に、第１発光面１１には、１つ又は複数の第１発光素子が対応するように配置されている。つまり、第１発光面１１には１つ又は複数の第１発光素子からの光が到達し、これにより、第１発光面１１が擬似発光する。
【００２５】
同様に、第２発光面１２にも、１つ又は複数の第２発光素子が対応するように配置されている。つまり、第２発光面１２には１つ又は複数の第２発光素子からの光が到達し、これにより、第２発光面１２が擬似発光する。
【００２６】
なお、第１発光面１１に対応する第１発光素子と第２発光面１２に対応する第２発光素子とが１つの基台（共通基台）に実装されて１つのＬＥＤモジュールが構成されて、グローブ１０内に当該１つのＬＥＤモジュールが収納されていてもよい。あるいは、第１発光面１１に対応する第１発光素子と第２発光面１２に対応する第２発光素子とが２つの基台のそれぞれに実装されて、グローブ１０内に２つのＬＥＤモジュールが収納されていてもよい。また、第１発光素子及び第２発光素子を実装する基台は、立体形状及び平面形状のいずれであってもよく、例えばＰＣＢ等の実装基板を用いることができる。
【００２７】
グローブ１０内に収納された複数の発光素子の各々は、独立して発光制御可能となっており、これらの複数の発光素子の各々を独立して発光制御することによって、複数の発光面の１個又は複数個が選択的に擬似発光する。
【００２８】
本実施の形態では、第１発光面１１に対応する１つ又は複数の第１発光素子と、第２発光面１２に対応する１つ又は複数の第２発光素子とが互いに独立して発光制御可能となっている。そして、第１発光素子と第２発光素子とを独立して発光制御することによって、第１発光面１１と第２発光面１２との２個の発光面を選択的に擬似発光させることができる。
【００２９】
これにより、グローブ１０の発光領域を変更することができるので、駆動機構や可動部を用いることなく、明かりの雰囲気を変更することができる。
【００３０】
また、独立制御できる複数の発光素子の各々は、対応する発光面に向けて配置されているとよい。例えば、本実施の形態では、第１発光面１１に対応する第１発光素子については第１発光面１１に向けて配置されているとよく、また、第２発光面１２に対応する第２発光素子については第２発光面１２に向けて配置されているとよい。
【００３１】
これにより、第１発光素子及び第２発光素子の各々を第１発光面１１及び第２発光面１２に容易に対応付けられるとともに、第１発光面１１及び第２発光面１２における発光輝度を大きくすることができる。この結果、電球形ランプ１の照射エリアの照度を発光面ごとに変更することができる。したがって、明かりの雰囲気を変更させるバリエーションを増やすことができる。
【００３２】
また、電球形ランプ１は、さらに、独立制御できる複数の発光素子の各々から出射する光がそれぞれ対応する発光面に到達するように、当該複数の発光素子の各々から出射する光の配光を制御する配光制御部材を備えていてもよい。
【００３３】
例えば、本実施の形態では、第１発光面１１に対応する第１発光素子から出射する光が第１発光面１１に到達するように、また、第２発光面１２に対応する第１発光素子から出射する光が第２発光面１２に到達するように、当該第１発光素子及び第２発光素子から出射する光の配光を制御する配光制御部材をグローブ１０内に配置してもよい。
【００３４】
これにより、第１発光素子及び第２発光素子の各々を第１発光面１１及び第２発光面１２に容易に対応付けられるとともに、第１発光面１１及び第２発光面１２における発光輝度を変更することができる。したがって、明かりの雰囲気を変更させるバリエーションを増やすことができる。
【００３５】
なお、配光制御部材は、例えば、レンズ機能又は反射機能を有する光学部材であり、第１発光素子及び第２発光素子に共通するものであってもよいし、第１発光素子と第２発光素子とで別個のものであってもよい。
【００３６】
また、第１発光面１１に対応する第１発光素子及び第２発光面１２に対応する第２発光素子の各々は、所定の色（波長）の光を放出する。具体的には、第１発光素子を有するＬＥＤモジュール及び第２発光素子を有するＬＥＤモジュールの各々は、所定の色の光を放出するように構成されており、例えば、白色光を放出する。
【００３７】
第１発光素子及び第２発光素子の各々は、例えば、個々にパッケージ化された表面実装（ＳＭＤ：Ｓｕｒｆａｃｅ  Ｍｏｕｎｔ  Ｄｅｖｉｃｅ）型のＬＥＤ素子であり、樹脂製等の容器（パッケージ）と、容器内に配置されたＬＥＤチップ（ベアチップ）と、ＬＥＤチップを封止する封止部材とを備える。この場合、平板状の実装基板を用いて１個又は複数個のＳＭＤ型のＬＥＤ素子を当該実装基板に実装することによって、ＳＭＤ構造の平面タイプのＬＥＤモジュールを構成することができる。
【００３８】
第１発光素子及び第２発光素子が白色光を放出するＳＭＤ型のＬＥＤ素子である場合、例えば、ＬＥＤチップとしては、通電されると青色光を発する青色ＬＥＤチップを用いて、封止部材としては、黄色蛍光体が含有されたシリコーン樹脂（蛍光体含有樹脂）を用いることができる。
【００３９】
なお、第１発光素子及び第２発光素子そのものがＬＥＤチップ（ベアチップ）であってもよい。この場合、ＬＥＤモジュールは、ＬＥＤチップ（第１発光素子、第２発光素子）が基台上に直接実装されたＣＯＢ（Ｃｈｉｐ  Ｏｎ  Ｂｏａｒｄ）構造となる。例えば、平板状の実装基板を用いて１個又は複数個のＬＥＤチップ（第１発光素子、第２発光素子）を当該実装基板に実装することによって、ＣＯＢ構造の平面タイプのＬＥＤモジュールを構成することができる。
【００４０】
また、白色光を放出するＣＯＢ構造のＬＥＤモジュールを用いる場合、例えば、ＬＥＤチップ（第１発光素子、第２発光素子）として青色ＬＥＤチップを用いて、この青色ＬＥＤチップを、黄色蛍光体が含有されたシリコーン樹脂からなる封止部材で封止すればよい。
【００４１】
また、グローブ１０の複数の発光面の少なくともいくつかは、互いに異なる輝度で擬似発光するように構成してもよい。
【００４２】
例えば、本実施の形態では、第１発光面１１に対応する第１発光素子の光出力と第２発光面１２に対応する第２発光素子の光出力とを異なる大きさにして、第１発光面１１と第２発光面とが異なる輝度で擬似発光させてもよい。
【００４３】
この場合、第１発光素子と第２発光素子とを独立して制御することができるので複数の発光面ごとに調光制御を行うことができ、各発光面での輝度を容易に変更することができる。このように各発光面での輝度を変更することによって、明かりの雰囲気を容易に変更させることができる。
【００４４】
また、独立制御できる複数の発光素子には、発光色が互いに異なる複数の発光素子が含まれていており、複数の発光面の少なくともいくつかは、互いに異なる光色で擬似発光するように構成されていてもよい。
【００４５】
例えば、本実施の形態では、第１発光面１１に対応する第１発光素子の出射光と第２発光面１２に対応する第２発光素子の出射光とが異なる発光色となるように構成して、第１発光面１１と第２発光面とを異なる光色で擬似発光させてもよい。
【００４６】
この場合、第１発光素子と第２発光素子とを独立して制御することができるので、第１発光素子の光出力と第２発光素子の光出力とを調整することによって、グローブ１０全体から放出される光の調色を行うことができる。これにより、電球形ランプ１の配色を変更することができるので、明かりの雰囲気を変更させるバリエーションを増やすことができる。
【００４７】
なお、異なる光色の組み合わせとしては、色温度の異なる白色光同士（昼白色、昼光色、電球色等）の組み合わせ、赤色と青色等のように中心波長が異なる有色光同士の組み合わせ、又は、白色光と有色光との組み合わせ等とすることができる。
【００４８】
また、グローブ１０の内部には、グローブ１０内の空間を仕切る仕切り部材が設けられていてもよい。この仕切り部材を用いることによって、グローブ１０を複数の発光面に容易に区分することができる。つまり、仕切り部材によってグローブ１０における隣り合う発光面の境界を区切ってもよい。
【００４９】
この仕切り部材は、遮光性を有する遮光部材（遮光板等）で構成されていてもよい。これにより、点灯時に、隣り合う発光面の光が混ざり合うことを抑制できる。逆に、隣り合う発光面の光を意図的に混ぜたいような場合（例えば混色させて明かりの雰囲気を変えたいような場合）は、仕切り部材を透光部材（透光板等）で構成したり仕切り部材そのものを設けなかったりすればよい。
【００５０】
なお、仕切り部材としては、遮光部材や透光部材に限らず、反射部材（反射板等）、導光部材（導光板等）又はレンズ等の光学部材を用いることができる。
【００５１】
また、グローブ１０には、ＬＥＤモジュールから放出される光を拡散させるための拡散処理が施されていてもよい。例えば、グローブ１０の表面に光拡散膜（光拡散層）を形成することでグローブ１０に光拡散機能を持たせることができる。
【００５２】
具体的には、シリカや炭酸カルシウム等の光拡散材を含有する樹脂や白色顔料等をグローブ１０の内面又は外面の全面に塗布することによって光拡散膜を形成することができる。あるいは、グローブ１０に複数の光拡散ドット又は複数の微小な窪みを形成することによって、グローブ１０に光拡散機能を持たせることもできる。
【００５３】
これら光拡散膜等の拡散部材はグローブ１０に連続して形成されており、グローブ１０における隣り合う発光面の境界は連続する光拡散膜を区切っている。
【００５４】
なお、グローブ１０に光拡散機能を持たせずに、内部のＬＥＤモジュールが視認できるようにグローブ１０を透明にしてもよい。また、本実施の形態において、グローブ１０の形状は球状としたが、これに限らない。グローブ１０の形状としては、回転楕円体又は偏球体であっても構わない。
【００５５】
口金２０は、ＬＥＤモジュール（ＬＥＤ）を発光させるための電力をランプ外部から受電する受電部である。口金２０は、例えば、所定の場所に設置された照明器具のソケットに取り付けられる。電球形ランプ１を照明器具に取り付けることによって、口金２０は、照明器具のソケットから電力を受けることができる。
【００５６】
口金２０の種類は、特に限定されるものではないが、本実施の形態では、ねじ込み式のエジソンタイプ（Ｅタイプ）の口金（Ｅ口金）を用いている。例えば、口金２０として、Ｅ２６形又はＥ１７形等の口金を用いることができる。また、口金２０は、Ｅタイプに限らず、差し込み式の口金であってもよい。
【００５７】
このように、口金２０として、Ｅタイプ等の既に設置された照明器具に適合する口金を用いることによって、既に設置された照明器具に装着できる電球形ランプを容易に実現することができる。
【００５８】
口金２０には、例えば商用電源等の交流電源から交流電力が供給される。本実施の形態における口金２０は二接点によって交流電力を受電する。口金２０で受電した電力は、リード線（不図示）等を介して駆動回路に入力される。
【００５９】
駆動回路は、ＬＥＤモジュール（ＬＥＤ）を点灯（発光）させるための電力をＬＥＤモジュールに供給する点灯回路（電源回路）である。駆動回路は、例えば、回路基板と当該回路基板に実装された回路部品とからなる回路ユニットであり、グローブ１０又は口金２０内に収納されている。駆動回路は、口金２０から供給される交流電力を直流電力に変換し、リード線等を介して当該直流電力をＬＥＤモジュールに供給する。ＬＥＤモジュールは、駆動回路から供給される直流電力によって発光する。
【００６０】
次に、本実施の形態における電球形ランプ１の点灯状態の一例について、図３Ａ、図３Ｂ及び図３Ｃを用いて説明する。図３Ａ〜図３Ｃは、実施の形態１に係る電球形ランプ１の点灯状態を示す図であり、図３Ａは全灯状態、図３Ｂは半灯状態（右側の発光面のみ発光）、図３Ｃは別の半灯状態（左側の発光面のみ発光）を示している。
【００６１】
図３Ａに示すように、第１発光面１１に対応する第１発光素子と第２発光面１２に対応する第２発光素子とが両方とも発光する場合は、第１発光面１１及び第２発光面１２の両方が擬似発光し、グローブ１０の全体から光が放出される。
【００６２】
図３Ｂに示すように、第１発光面１１に対応する第１発光素子のみが発光する場合は、第１発光面１１のみが擬似発光する。本実施の形態では、第１発光面１１はグローブ１０の左半分であるので、グローブ１０の左半分から光が放出される。
【００６３】
図３Ｃに示すように、第２発光面１２に対応する第２発光素子のみが発光する場合は、第２発光面１２のみが擬似発光する。本実施の形態では、第２発光面１２はグローブ１０の右半分であるので、グローブ１０の右半分から光が放出される。
【００６４】
以上、本実施の形態に係る電球形ランプ１によれば、駆動機構や可動部を用いることなく、既に設置された照明器具を用いて明かりの雰囲気を変更することができる。
【００６５】
また、駆動機構や可動部を用いないことで、ランプ寿命や応答速度が低下することを抑制できるとともに意匠性の悪化やランプ重量の増加を抑制でき、さらに、ランプ全体から発光を得ることもできる。
【００６６】
また、本実施の形態に係る電球形ランプ１において、グローブ１０における発光面の選択、又は、各発光面における発光色や輝度の調整は、壁スイッチ（電源ＯＮ／ＯＦＦ等）やリモコン等による有線ないし無線の遠隔操作、又は、ランプに直接取り付けられたスイッチによる操作で行うことができる。この場合、携帯電話やスマートフォン等の携帯端末による無線信号によって、グローブ１０における発光面の選択等の制御を行ってもよい。
【００６７】
この場合、電球形ランプをどのような点灯状態にするかについては、例えば、複数の発光面による点灯状態の全ての組み合わせを順次繰り返して点灯させることによって実現できる。本実施の形態では、図３Ａの点灯状態、図３Ｂの点灯状態及び図３Ｃの点灯状態の３つの点灯状態があるので、スイッチを押下するごとに３つの点灯状態を順次切り替えることによって、ユーザは所望の点灯状態を選択することができる。
【００６８】
その他に、電球形ランプ１は、各発光面の発光及び非発光を制御することで時々刻々とグローブ１０の発光状態を変化させる制御機構を有していてもよい。
【００６９】
（実施の形態１の変形例）
図４は、実施の形態１の変形例に係る電球形ランプ１Ａの斜視図である。図５Ａ、図５Ｂ及び図５Ｃは、同電球形ランプ１Ａの側面図、上面図及び底面図である。
【００７０】
本変形例に係る電球形ランプ１Ａは、上記実施の形態１に係る電球形ランプ１と同様にグローブ１０が２つの発光面を有するが、上記実施の形態１ではグローブ１０が左右の２つに分割（垂直割り）されていたのに対して、本変形例ではグローブ１０の発光領域が上下の２つに分割（水平割り）されている。
【００７１】
具体的には、本変形例に係る電球形ランプ１Ａでは、図４、図５Ａ〜図５Ｃに示すように、グローブ１０の発光領域がグローブ中心を通るＸＹ平面を境界として上下２つの領域に分割されている。つまり、本変形例では、グローブ１０の表面全体が、第１発光素子に対応する上側の第１発光面１１Ａと第２発光素子に対応する下側の第２発光面１２Ａとの２つの発光面に区分されている。
【００７２】
なお、その他の構成は、上記実施の形態１における電球形ランプ１と同様である。
【００７３】
以上、本変形例に係る電球形ランプ１Ａによれば、上記実施の形態１における電球形ランプ１と同様の効果が得られる。つまり、駆動機構や可動部を用いることなく、既に設置された照明器具を用いて明かりの雰囲気を変更することができる。
【００７４】
（実施の形態２）
次に、実施の形態２に係る電球形ランプ２の構成について、図６、図７Ａ、図７Ｂ及び図７Ｃを用いて説明する。図６は、実施の形態２に係る電球形ランプ２の斜視図である。図７Ａ、図７Ｂ及び図７Ｃは、同電球形ランプ２の側面図、上面図及び底面図である。
【００７５】
本実施の形態に係る電球形ランプ２は、上記実施の形態１に係る電球形ランプ１と同様にグローブ１０が複数の発光面を有するが、上記実施の形態１ではグローブ１０の発光領域が２つに分割（２分割）されていたのに対して、本実施の形態ではグローブ１０の発光領域が４つに分割（４分割）されている。
【００７６】
具体的には、本実施の形態に係る電球形ランプ２では、図６、図７Ａ〜図７Ｃに示すように、グローブ１０の発光領域は、グローブ軸を通るＹＺ平面を境界として左右の２つの領域に分割されており、かつ、グローブ中心を通るＸＹ平面を境界として上下２つの領域に分割されている。つまり、グローブ１０の表面全体が、第１発光面１１、第２発光面１２、第３発光面１３及び第４発光面１４の４つの発光面に区分されている。
【００７７】
本実施の形態において、グローブ１０は４つの発光面を有するので、グローブ１０には少なくとも４つの発光素子が収納されている。具体的に、第１発光面１１には、１つ又は複数の第１発光素子が対応するように配置されており、第１発光素子からの光によって第１発光面１１が擬似発光する。また、第２発光面１２にも、１つ又は複数の第２発光素子が対応するように配置されており、第２発光素子からの光によって第２発光面１２が擬似発光する。同様に、第３発光面１３及び第４発光面１４にも、それぞれ１つ又は複数の第２発光素子及び第３発光素子が対応するように配置されており、第３発光面１３及び第４発光面１４は、それぞれ第３発光素子及び第４発光素子からの光によって擬似発光する。
【００７８】
なお、第３発光素子及び第４発光素子は、実施の形態１における第１発光素子及び第２発光素子と同様の構成とすることができる。また、第１発光素子、第２発光素子、第３発光素子及び第４発光素子が１つの基台に実装されて、グローブ１０内に１つのＬＥＤモジュールが収納されていてもよい。あるいは、第１発光素子、第２発光素子、第３発光素子及び第４発光素子が２つないし４つの基台のそれぞれに実装されて、グローブ１０内に２つないし４つのＬＥＤモジュールが収納されていてもよい。
【００７９】
また、本実施の形態でも、第１発光面１１に対応する１つ又は複数の第１発光素子と、第２発光面１２に対応する１つ又は複数の第２発光素子と、第３発光面１３に対応する１つ又は複数の第３発光素子と、第４発光面１４に対応する１つ又は複数の第４発光素子とは、互いに独立して発光制御可能となっている。そして、第１発光素子〜第４発光素子を独立して発光制御することによって、第１発光面１１〜第４発光面１４の４個の発光面のうちの１個又は複数個を選択的に擬似発光させることができる。
【００８０】
以上、本実施の形態に係る電球形ランプ２によれば、上記実施の形態１に係る電球形ランプ１と同様に、複数の発光面の１個又は複数個を選択的に擬似発光させることができる。これにより、本実施の形態でも、駆動機構や可動部を用いることなく、既に設置された照明器具を用いて明かりの雰囲気を変更することができる。
【００８１】
また、本実施の形態では、上記実施の形態１と比べて、グローブ１０の発光面の区分数（分割数）が多くなっている。具体的には、実施の形態１におけるグローブ１０の発光面の区分数は２つであったのに対して、本実施の形態におけるグローブ１０の発光面の区分数は４つである。これにより、本実施の形態では、実施の形態１と比べて、点灯状態の組み合わせ数を多くすることができるので、明かりの雰囲気を変更させるバリエーションを増やすことができる。
【００８２】
また、グローブ１０の区分数（分割数）を多くすることによって、電球形ランプの配光等を連続して変化しているように見せることもできる。
【００８３】
（実施の形態３）
次に、実施の形態３に係る電球形ランプ３の構成について、図８、図９Ａ、図９Ｂ及び図９Ｃを用いて説明する。図８は、実施の形態３に係る電球形ランプ３の斜視図である。図９Ａ、図９Ｂ及び図９Ｃは、同電球形ランプ３の側面図、上面図及び底面図である。
【００８４】
本実施の形態に係る電球形ランプ３は、上記実施の形態１に係る電球形ランプ１と同様にグローブ１０が複数の発光面を有するが、上記実施の形態１ではグローブ１０の発光領域が２つに分割（２分割）されていたのに対して、本実施の形態ではグローブ１０の発光領域が８つに分割（８分割）されている。
【００８５】
具体的には、本実施の形態に係る電球形ランプ３では、図８、図９Ａ〜図９Ｃに示すように、グローブ１０の発光領域は、グローブ中心を通るＸＹ平面を境界として上下２つの領域に分割されており、かつ、グローブ軸を通るＹＺ平面及びＸＺ平面の両方を境界として分割されている。つまり、グローブ１０の表面全体が、第１発光面１１、第２発光面１２、第３発光面１３、第４発光面１４、第５発光面１５、第６発光面１６、第７発光面１７及び第８発光面１８の８つの発光面に区分されている。
【００８６】
本実施の形態において、グローブ１０は８つの発光面を有するので、グローブ１０には少なくとも８つの発光素子が収納されている。具体的に、第１発光面１１には、１つ又は複数の第１発光素子が対応するように配置されており、第１発光素子からの光によって第１発光面１１が擬似発光する。また、第２発光面１２にも、１つ又は複数の第２発光素子が対応するように配置されており、第２発光素子からの光によって第２発光面１２が擬似発光する。同様に、第３発光面１３〜第８発光面１８にも、それぞれ１つ又は複数の第２発光素子〜第８発光素子が対応するように配置されており、第３発光面１３〜第８発光面１８は、それぞれ第３発光素子〜第８発光素子からの光によって擬似発光する。
【００８７】
なお、第３発光素子〜第８発光素子は、実施の形態１における第１発光素子及び第２発光素子と同様の構成とすることができる。また、第１発光素子〜第８発光素子が１つの基台に実装されて、グローブ１０内に１つのＬＥＤモジュールが収納されていてもよい。あるいは、第１発光素子〜第８発光素子が２つないし８つの基台のそれぞれに実装されて、グローブ１０内に２つないし８つのＬＥＤモジュールが収納されていてもよい。
【００８８】
また、本実施の形態でも、第１発光面１１に対応する１つ又は複数の第１発光素子と、第２発光面１２に対応する１つ又は複数の第２発光素子と、第３発光面１３に対応する１つ又は複数の第３発光素子と、第４発光面１４に対応する１つ又は複数の第４発光素子と、第５発光面１５に対応する１つ又は複数の第５発光素子と、第６発光面１６に対応する１つ又は複数の第６発光素子と、第７発光面１７に対応する１つ又は複数の第７発光素子と、第８発光面１８に対応する１つ又は複数の第８発光素子とは、互いに独立して発光制御可能となっている。そして、第１発光素子〜第８発光素子を独立して発光制御することによって、第１発光面１１〜第８発光面１８の８個の発光面のうちの１個又は複数個を選択的に擬似発光させることができる。
【００８９】
以上、本実施の形態に係る電球形ランプ３によれば、上記実施の形態１、２に係る電球形ランプ１、２と同様に、複数の発光面の１個又は複数個を選択的に擬似発光させることができる。これにより、本実施の形態でも、駆動機構や可動部を用いることなく、既に設置された照明器具を用いて明かりの雰囲気を変更することができる。
【００９０】
また、本実施の形態では、上記実施の形態１、２と比べて、グローブ１０の発光面の区分数（分割数）が多くなっている。具体的には、実施の形態１、２におけるグローブ１０の発光面の区分数は２つ又は４つであったのに対して、本実施の形態におけるグローブ１０の発光面の区分数は８つである。これにより、本実施の形態では、実施の形態１、２と比べて、点灯状態の組み合わせ数を多くするができるので、明かりの雰囲気を変更させるバリエーションをさらに増やすことができる。
【００９１】
また、本実施の形態では、グローブ１０の区分数（分割数）をさらに多くしているので、実施の形態２よりも容易に、電球形ランプの配光等を連続して変化しているように見せることができる。
【００９２】
（その他変形例等）
以上、本発明に係る照明用光源について、実施の形態に基づいて説明したが、本発明は、上記の実施の形態に限定されるものではない。
【００９３】
例えば、上記の実施の形態では、照明用光源として電球形ランプを例にとって説明したが、本発明は、図１０Ａ及び図１０Ｂに示すように、直管形ランプに適用することもできる。
【００９４】
この場合、図１０Ａに示すように、直管ＬＥＤランプ４Ａでは、長尺状の直管であるグローブ１０Ａの発光領域を管軸方向（Ｘ軸方向）に沿って複数の領域に分割することで、グローブ１０Ａを複数の発光面に区分している。
【００９５】
また、図１０Ｂに示すように、直管ＬＥＤランプ４Ｂでは、グローブ１０Ａの発光領域を管軸方向（Ｘ軸方向）に沿って複数の領域に分割するとともに管軸を通るＸＹ平面を境界として２つの領域に分割することで、グローブ１０Ａを複数の発光面に区分している。
【００９６】
なお、図１０Ａ及び図１０Ｂにおいても、グローブ１０Ａには、複数の発光面の各々に対応する複数の発光素子が収納されており、当該複数の発光素子の各々は、独立して発光制御可能である。そして、当該複数の発光素子の各々を独立して発光制御することによって、複数の発光面の１個又は複数個を選択的に擬似発光させることができる。
【００９７】
また、上記の実施の形態では、電球形ランプにおけるグローブ１０は球形状であったが、図１１に示すように直方体のグローブ１０Ｂを用いてもよい。その他に、多角柱等や八面体等の多面体形状のグローブを用いてもよい。この場合、グローブを、多面体を構成する面（図１１では６面）によって複数の発光面に区分（つまり、多面体の各面が発光面）してもよいし、多面体の各面を分割してグローブを複数の発光面に区分してもよい。
【００９８】
また、上記の実施の形態において、グローブにおける隣り合う発光面の境界線は、直線としたが、曲線等、直線以外であってもよい。
【００９９】
また、上記の実施の形態において、グローブは、２個、４個、８個等の発光面に区分したが、グローブの区分数は、これに限るものではない。
【０１００】
また、上記の実施の形態では、グローブに口金を直接取り付けたが、これに限らない。例えば、グローブと口金との間に別途筐体を設けてもよい。この場合、筐体として樹脂製等の絶縁ケースを用いて、筐体に駆動回路（回路ユニット）を収納してもよい。
【０１０１】
また、上記の実施の形態では、青色ＬＥＤチップと黄色蛍光体とによって白色光を放出するＢ−ＹタイプのＬＥＤモジュールを構成したが、これに限らない。例えば、赤色蛍光体及び緑色蛍光体を含有する蛍光体含有樹脂を用いて、これと青色ＬＥＤチップと組み合わせることによりに白色光を放出するように構成してもよい。
【０１０２】
また、上記の実施の形態では、ＬＥＤモジュールの光源としては、ＬＥＤチップを用いたが、半導体レーザなどの半導体発光素子、有機ＥＬ（Ｅｌｅｃｔｒｏ  Ｌｕｍｉｎｅｓｃｅｎｃｅ）又は無機ＥＬ等の発光素子、その他の固体発光素子を用いてもよい。
【０１０３】
また、本発明は、電球形ランプや直管形ランプ等の照明用光源として実現することができるだけでなく、電球形ランプや直管形ランプ等の照明用光源を備える照明装置として実現することもできる。例えば、このような照明装置としては、上記の電球形ランプ又は直管形ランプと、当該電球形ランプ又は直管形ランプの口金が装着されるソケットを有する照明器具とを備える。
【０１０４】
その他、上記実施の形態及び変形例に対して当業者が思いつく各種変形を施して得られる形態、又は、本発明の趣旨を逸脱しない範囲で上記実施の形態及び変形例における構成要素及び機能を任意に組み合わせることで実現される形態も本発明に含まれる。
【符号の説明】
【０１０５】
１、１Ａ、２、３  電球形ランプ（照明用光源）
４Ａ、４Ｂ  直管ＬＥＤランプ（照明用光源）
１０、１０Ａ、１０Ｂ  グローブ
１１、１１Ａ  第１発光面
１２、１２Ａ  第２発光面
１３  第３発光面
１４  第４発光面
１５  第５発光面
１６  第６発光面
１７  第７発光面
１８  第８発光面
【図１】
0006440063.tif 000002
【図２Ａ】
0006440063.tif 000003
【図２Ｂ】
0006440063.tif 000004
【図２Ｃ】
0006440063.tif 000005
【図３Ａ】
0006440063.tif 000006
【図３Ｂ】
0006440063.tif 000007
【図３Ｃ】
0006440063.tif 000008
【図４】
0006440063.tif 000009
【図５Ａ】
0006440063.tif 000010
【図５Ｂ】
0006440063.tif 000011
【図５Ｃ】
0006440063.tif 000012
【図６】
0006440063.tif 000013
【図７Ａ】
0006440063.tif 000014
【図７Ｂ】
0006440063.tif 000015
【図７Ｃ】
0006440063.tif 000016
【図８】
0006440063.tif 000017
【図９Ａ】
0006440063.tif 000018
【図９Ｂ】
0006440063.tif 000019
【図９Ｃ】
0006440063.tif 000020
【図１０Ａ】
0006440063.tif 000021
【図１０Ｂ】
0006440063.tif 000022
【図１１】
0006440063.tif 000023